(57)【要約】【課題】フレキシブル表示スクリーンが折り畳まれるときに折り目が発生しやすくて表示スクリーンが異常になってしまうという従来技術における課題を解決するために、本願はスクリーン支持装置を提供する。【解決手段】本願の実施例により提供されるスクリーン支持装置は、駆動コンポーネントと、前記駆動コンポーネントに回動可能に連結される支持コンポーネントと、を備える。前記駆動コンポーネントは回動軸及びコネクティングロッドを備える。回動軸とコネクティングロッドとの間の回動可能な連結によって、前記支持コンポーネント及び前記駆動コンポーネントは回動し且つ相対的に変位して、前記フレキシブル表示スクリーンを折り畳むか又は展開する。フレキシブル表示スクリーンが展開状態から折り畳み状態になるとき、回動軸及びコネクティングロッドによる作用を受けて、支持コンポーネントは駆動コンポーネントに対して回動し且つ相対的に変位して、フレキシブル表示スクリーンのベンディング部分のためにより大きい収容空間を提供するようになる。よって、フレキシブル表示装置が折り畳まれるときにフレキシブル表示スクリーンのベンディング部分において折り目が形成して表示スクリーンが異常になってしまう問題を解決することができる。【選択図】図１
2021513681.tif 000002
【特許請求の範囲】
【請求項１】
駆動コンポーネントと、前記駆動コンポーネントと回動可能に連結される支持コンポーネントと、を備え、
前記駆動コンポーネントは、回動軸と、前記回動軸と相対的に回動可能に連結されるコネクティングロッドと、を備え、
前記駆動コンポーネント及び前記支持コンポーネントはフレキシブル表示スクリーンの非表示エリアに配置され、前記コネクティングロッドと前記支持コンポーネントとは固定的に連結され、
前記回動軸と前記コネクティングロッドとの回動可能な連結によって、前記支持コンポーネントと前記駆動コンポーネントとが回動し且つ相対的に変位して、前記フレキシブル表示スクリーンを折り畳むか又は展開する
ことを特徴とするスクリーン支持装置。
【請求項２】
前記駆動コンポーネントは、固定部及び回動部を更に備え、
前記固定部は、前記コネクティングロッドと相対的に固定的に連結され、
前記回動部は、前記回動軸と相対的に回動可能に連結され、
前記支持コンポーネントと前記駆動コンポーネントとが回動して相対的に変位して前記フレキシブル表示スクリーンを折り畳むか又は展開することは、前記コネクティングロッドが回動軸に連動して固定部を動かし、前記支持コンポーネントが前記固定部の動きに連動して前記駆動コンポーネントに対して回動し且つ相対的に変位すること、を含む
ことを特徴とする請求項１に記載のスクリーン支持装置。
【請求項３】
前記支持コンポーネントにはスライドレールが配置され、
前記回動部は前記スライドレールの中に配置され且つ前記スライドレールに沿って摺動する
ことを特徴とする請求項２に記載のスクリーン支持装置。
【請求項４】
前記固定部の一方側にはスライド溝が配置されている
ことを特徴とする請求項２に記載のスクリーン支持装置。
【請求項５】
前記駆動コンポーネントは、前記回動軸に対して相対的に固定的に連結される折り畳み部を更に備え、
前記折り畳み部は前記スライド溝の中に摺動可能に配置され、前記折り畳み部は前記スライド溝の中において摺動する
ことを特徴とする請求項４に記載のスクリーン支持装置。
【請求項６】
前記折り畳み部は、サイドスライド支持板と、回転支持板と、スクリーン固定支持板と、を備え、
前記回転支持板の一端は前記サイドスライド支持板と相対的に回動可能に連結され、
前記回転支持板の他端は前記スクリーン固定支持板と回動可能に連結され、
前記サイドスライド支持板は、摺動可能に前記固定部の中に配置され、前記サイドスライド支持板は前記スライド溝の中において摺動する
ことを特徴とする請求項５に記載のスクリーン支持装置。
【請求項７】
前記スライド溝は線形スライド溝である
ことを特徴とする請求項４に記載のスクリーン支持装置。
【請求項８】
前記スライド溝が位置する直線と、前記フレキシブル表示スクリーンが位置する平面との夾角の角度は０より大きく且つ９０度より小さい
ことを特徴とする請求項７に記載のスクリーン支持装置。
【請求項９】
前記スライド溝は、互いに平行である２つのスライド溝を含む
ことを特徴とする請求項４に記載のスクリーン支持装置。
【請求項１０】
前記駆動コンポーネントは、前記回動軸と固定的に連結される回動軸ロック部を更に備える
ことを特徴とする請求項１に記載のスクリーン支持装置。
【請求項１１】
前記回動軸は互いに平行に配置される第１の回動軸と第２の回動軸とを備え、
前記駆動コンポーネントは、前記第１の回動軸と回動可能に連結される第１のコネクティングロッドと、前記第２の回動軸と回動可能に連結される第２のコネクティングロッドと、を備え、
前記第１の回動軸と前記第２の回動軸との間にはウォームギヤ構造が配置され、前記第１の回動軸及び前記第２の回動軸はそれぞれ前記ウォームギヤ構造に連結される
ことを特徴とする請求項１に記載のスクリーン支持装置。
【請求項１２】
表示機能を実現するフレキシブル表示スクリーンと、
請求項１乃至１１のいずれか一項に記載のスクリーン支持装置の構造を有するスクリーン支持装置と、を備える
ことを特徴とする折り畳み式フレキシブル表示装置。
【請求項１３】
前記フレキシブル表示スクリーンは、前記支持コンポーネントの内部に配置されて前記フレキシブル表示スクリーンが必要とする駆動回路を提供する回路基板を備える
ことを特徴とする請求項１２に記載の折り畳み式フレキシブル表示装置。
【請求項１４】
前記回路基板はフレキシブル回路基板である
ことを特徴とする請求項１３に記載の折り畳み式フレキシブル表示装置。
【請求項１５】
前記フレキシブル表示スクリーンは、前記支持コンポーネントの内部に配置されて前記回路基板が必要とする電気エネルギーを提供するバッテリーを備える
ことを特徴とする請求項１３に記載の折り畳み式フレキシブル表示装置。
【請求項１６】
前記バッテリーはフレキシブルバッテリーである
ことを特徴とする請求項１５に記載の折り畳み式フレキシブル表示装置。 
【発明の詳細な説明】
【技術分野】
【０００１】
本願は、２０１８年９月１９日に出願された中国特許出願「Ｎｏ．２０１８２１５３５７８４．８」の優先権を主張し、そのすべての内容を参照により本明細書に組み込む。
【０００２】
本願は、ディスプレイ技術分野に関し、具体的にはスクリーン支持装置及び折り畳み式フレキシブル表示装置に関する。
【背景技術】
【０００３】
近年、折り曲げ可能という特長を有するフレキシブル表示スクリーンを採用した携帯電話やタブレットパソコンなどの端末製品はフォルダブルへの布石を打ち始めている。従来技術によると、折り畳み式表示装置は折り畳み可能であるが、折り畳み領域においては折り目が形成しやすい。多数回も折り畳まれた後、このような折り目の位置においてはひび、さらに破断が発生する可能性が高くなり、したがって表示不良などの現象が発生して表示スクリーンが正常に表示することができなくなる。
【発明の概要】
【発明が解決しようとする課題】
【０００４】
以上に鑑みて、本願はスクリーン支持装置を提供することによって、関連技術における折り畳み式表示スクリーンが折り畳み箇所において折り目が形成しやすくて表示異常になる課題を解決する。
【課題を解決するための手段】
【０００５】
本願の一態様によると、本願の実施例により提供されるスクリーン支持装置は、駆動コンポーネントと、前記駆動コンポーネントと回動可能に連結される支持コンポーネントと、を備える。前記駆動コンポーネントは、回動軸と、前記回動軸と相対的に回動可能に連結されるコネクティングロッドと、を備える。前記駆動コンポーネント及び前記支持コンポーネントはフレキシブル表示スクリーンの非表示エリアに配置され、前記コネクティングロッドと前記支持コンポーネントとは固定的に連結される。前記回動軸と前記コネクティングロッドとの回動可能な連結によって、前記支持コンポーネントと前記駆動コンポーネントとが回動し且つ相対的に変位して、前記フレキシブル表示スクリーンを折り畳むか又は展開する。
【０００６】
一実施例において、前記駆動コンポーネントは、固定部及び回動部を更に備える。前記固定部は、前記コネクティングロッドと相対的に固定的に連結される。前記回動部は、前記回動軸と相対的に回動可能に連結される。前記支持コンポーネントと前記駆動コンポーネントとが回動して相対的に変位して前記フレキシブル表示スクリーンを折り畳むか又は展開することは、前記コネクティングロッドが回動軸に連動して固定部を動かし、前記支持コンポーネントが前記固定部の動きに連動して前記駆動コンポーネントに対して回動し且つ相対的に変位すること、を含む。
【０００７】
一実施例において、前記支持コンポーネントにおいてはスライドレールが配置され、前記回動部は前記スライドレールの中に配置され且つ前記スライドレールに沿って摺動する。
【０００８】
一実施例において、前記固定部の一方側にはスライド溝が配置されている。
【０００９】
一実施例において、前記駆動コンポーネントは、前記回動軸に対して相対的に固定的に連結される折り畳み部を更に備える。前記折り畳み部は前記スライド溝の中に摺動可能に配置され、前記折り畳み部は前記スライド溝の中において摺動する。
【００１０】
一実施例において、前記折り畳み部は、サイドスライド支持板と、回転支持板と、スクリーン固定支持板と、を備える。前記回転支持板の一端は前記サイドスライド支持板と相対的に回動可能に連結される。前記回転支持板の他端は前記スクリーン固定支持板と回動可能に連結される。前記サイドスライド支持板は、摺動可能に前記固定部の中に配置され、前記サイドスライド支持板は前記スライド溝の中において摺動する。
【００１１】
一実施例において、前記スライド溝は線形スライド溝である。
【００１２】
一実施例において、前記スライド溝が位置する直線と、前記フレキシブル表示スクリーンが位置する平面との夾角の角度は０より大きく且つ９０度より小さい。
【００１３】
一実施例において、前記スライド溝は、互いに平行である２つのスライド溝を含む。
【００１４】
一実施例において、前記駆動コンポーネントは、前記回動軸と固定的に連結される回動軸ロック部を更に備える。
【００１５】
一実施例において、前記回動軸は互いに平行に配置される第１の回動軸と第２の回動軸とを備える。前記駆動コンポーネントは、前記第１の回動軸と回動可能に連結される第１のコネクティングロッドと、前記第２の回動軸と回動可能に連結される第２のコネクティングロッドと、を備える。前記第１の回動軸と前記第２の回動軸との間にはウォームギヤ構造が配置され、前記第１の回動軸及び前記第２の回動軸はそれぞれ前記ウォームギヤ構造に連結される。
【００１６】
本願の他の一態様によると、本願の実施例は折り畳み式フレキシブル表示装置を更に提供する。当該折り畳み式フレキシブル表示装置は、表示機能を実現するフレキシブル表示スクリーンと、スクリーン支持装置と、を備える。ここで、前記スクリーン支持装置の構造としては、上述のスクリーン支持装置の構造を採用する。
【００１７】
一実施例において、前記フレキシブル表示スクリーンは、前記支持コンポーネントの内部に配置される回路基板を備える。前記回路基板は前記フレキシブル表示スクリーンが必要とする駆動回路を提供する。
【００１８】
一実施例において、前記回路基板はフレキシブル回路基板である。
【００１９】
一実施例において、前記フレキシブル表示スクリーンは、前記支持コンポーネントの内部に配置されるバッテリーを備える。当該バッテリーは前記回路基板が必要とする電気エネルギーを提供する。
【００２０】
一実施例において、前記バッテリーはフレキシブルバッテリーである。
【発明の効果】
【００２１】
本願に係るスクリーン支持装置は、フレキシブル表示スクリーンの一部を支える駆動コンポーネントを備える。ここで、駆動コンポーネントは回動軸及びコネクティングロッドを備える。フレキシブル表示スクリーンが展開状態から折り畳み状態になる過程において、支持コンポーネントは回動軸及びコネクティングロッドの作用によって駆動コンポーネントに対して回動して相対的に変位する。したがって、折り畳まれる過程において、折り畳み部分を収容するための空間を十分確保することができるため、折り目の形成を防止して、表示スクリーンが異常になる現象を避けることができる。
【図面の簡単な説明】
【００２２】
図面を参照しながら実施例について説明を行う。これらの図面は基本原理の説明に用いられるものであるため、基本原理への理解に対して必要となる部分しか示していない。これらの図面は寸法に比例するものではない。図面において、同一の符号は類似な特徴を示す。
【図１】本願の実施例によるスクリーン支持装置の構造模式図である。
【図２】本願の実施例によるスクリーン支持装置における駆動コンポーネントの構造模式図である。
【図３】本願の実施例によるスクリーン支持装置における固定部の構造模式図である。
【図４】本願の実施例による他のスクリーン支持装置の構造模式図である。
【図５】本願の実施例による他のスクリーン支持装置における駆動コンポーネントの構造模式図である。
【図６】本願の実施例による折り畳み式フレキシブル表示装置の構造模式図である。
【図７】本願の実施例による折り畳み式フレキシブル表示装置が展開状態にあるときの構造模式図である。
【図８】本願の実施例による折り畳み式フレキシブル表示装置が折り畳み状態にあるときの構造模式図である。
【発明を実施するための形態】
【００２３】
以下、好ましい実施例についての説明においては本願の一部を構成する添付の図面を参照する。添付の図面は、例を挙げる方法によって本願を実現可能な特定の実施例を示す。例としての実施例は本願に係るすべての実施例ではない。なお、本願の範囲を逸脱しないことを前提として、当業者は他の実施例を利用してもよく、構造的又はロジック的な変更を行ってもよい。つまり、以下の具体的な説明は本願に対する制限にならず、本願の保護範囲は添付の特許請求の範囲により限定される。
【００２４】
本願の実施例はスクリーン支持装置を提供する。当該スクリーン支持装置は、フレキシブル表示スクリーンを支えることができ、表示装置において直接採用されて表示装置の一部になってもよく、独立した支持装置として可撓性を有する表示装置を支えてもよい。ここで、表示装置は独立した装置又は従属の装置として使用されてフォルダブル機能を実現することができる。例えば、携帯電話、腕時計、コンピュータ、タブレットパソコンなどの表示機能が必要な端末において応用されることができる。
【００２５】
図１は本願の一実施例によるスクリーン支持装置である。図１に示すよう、当該スクリーン支持装置は駆動コンポーネント１と、駆動コンポーネント１と連結される支持コンポーネント２と、を備える。ここで、駆動コンポーネント１及び支持コンポーネント２はフレキシブル表示スクリーン３の非表示エリアにおいて配置される。支持コンポーネント２はフレキシブル表示スクリーン３のベンディング部分を支える。なお、ベンディング部分とは、曲げられるときにフレキシブル表示スクリーン３において曲がりが発生する位置にあるフレキシブル表示スクリーンエリアである。
【００２６】
図２に示すよう、駆動コンポーネント１は、回動軸１１と、回動軸１１と回動可能に連結されるコネクティングロッド１２と、を備える。フレキシブル表示スクリーンが展開状態から折り畳み状態になる過程において、支持コンポーネント２は駆動コンポーネント１に対して離れるように回動する。フレキシブル表示装置が折り畳まれるとき、スクリーン支持装置はある程度の収容空間をフレキシブル表示スクリーンのベンディング部分に提供するため、フレキシブル表示スクリーンのベンディング部分は１本の折り目にならない。したがって、フレキシブル表示スクリーンのベンディング部分において折り目が形成してディスプレイパネルが異常になってしまう問題を解決することができる。
【００２７】
本願の一実施例において、図２に示すよう、駆動コンポーネント１は固定部１４及び回動部１７を更に備える。回動部１７と回動軸１１とは回動可能に連結され、固定部１４とコネクティングロッド１２とは相対的に固定的に連結される。フレキシブル表示スクリーンが展開状態から折り畳み状態になる過程において、回動軸１１は回動し、コネクティングロッド１２は回動軸１１に連動し、固定部１４はコネクティングロッド１２に連動する。それとともに、回動軸１１が回動するとき、回動部１７も回動軸１１に連動し、したがって回動部１７は固定部１４に対して摺動し、したがって回動部１７は回動しながら固定部１４に対して摺動する。なお、回動部１７が支持コンポーネント２に対して相対的に固定的に連結されるため、回動部１７に連動する支持コンポーネント２は回動軸１１に対して回動するとともに回動軸１１から離れるようになる。すなわち、支持コンポーネント２は駆動コンポーネント１に対して回動しながら駆動コンポーネント１から離れる。フレキシブル表示装置が折り畳まれるとき、スクリーン支持装置はある程度の収容空間をフレキシブル表示スクリーンのベンディング部分に提供するため、フレキシブル表示スクリーンのベンディング部分において折り目が形成して表示スクリーンが異常になってしまう問題を解決することができる。
【００２８】
本願の一実施例において、図１に示すよう、支持コンポーネント２の中にはスライドレール２３が配置される。回動部１７はスライドレール２３の中に摺動可能に配置され、回動部１７はスライドレール２３の中において摺動する。
【００２９】
本願の一実施例において、図３に示すよう、固定部１４の一方側にはスライド溝１４１が配置されている。ここで、図２に示すよう、駆動コンポーネント１は折り畳み部１３を更に備える。折り畳み部１３は固定部１４のスライド溝１４１の中に摺動可能に配置される。フレキシブル表示スクリーンが展開状態から折り畳み状態になるとき、折り畳み部１３はスライド溝１４１の中において摺動する。支持コンポーネント２が駆動コンポーネント１から離れるとき、折り畳み部１３の動きは、駆動コンポーネント１により支えられているフレキシブル表示スクリーンのベンディング部分のために収容空間を提供することができる。
【００３０】
本願の一実施例において、図２に示すよう、折り畳み部１３はサイドスライド支持板１３２、回転支持板１３３及びスクリーン固定支持板１３４を更に備える。ここで、回転支持板１３３とサイドスライド支持板１３２とは回動可能に連結され、スクリーン固定支持板１３４と回転支持板１３３とは回動可能に連結され、スクリーン固定支持板１３４は回動軸支持ベース１３５に固定される。ここで、フレキシブル表示スクリーンが展開状態から折り畳み状態になる過程において、サイドスライド支持板１３２は、固定部１４の中にあるスライド溝１４１の中において摺動するとともに、回転支持板１３３がサイドスライド支持板１３２に対して回動することができるように回転支持板１３３に力を与える。なお、回転支持板１３３の回動方向はフレキシブル表示スクリーンの曲げ方向と反対である。したがって、支持コンポーネント２が駆動コンポーネント１から離れるとき、回転支持板１３３は駆動コンポーネント１により支えられているフレキシブル表示スクリーンのベンディング部分のために収容空間を提供することができるため、フレキシブル表示装置が折り畳まれるときにフレキシブル表示スクリーンのベンディング部分はある程度の収容空間を有し、したがって、フレキシブル表示装置が折り畳まれるときにフレキシブル表示スクリーンのベンディング部分において折り目が形成して表示スクリーンが異常になってしまう問題を解決することができる。
【００３１】
本願の一実施例において、スライド溝１４１は線形スライド溝であってもよく、スライド溝１４１が位置する直線の方向とフレキシブル表示スクリーン３が位置する平面との夾角の角度は０度より大きく且つ９０度より小さくてもよい。線形スライド溝の方向を設置することによって、サイドスライド支持板１３２が回転支持板１３３の周りを回動するときにスライド溝１４１の中において所定の位置範囲内で摺動するように確保することができる。
【００３２】
本願の一実施例において、固定部１４は互いに平行である２つのスライド溝１４１を備えることができる。２つのスライド溝１４１を設置することによって、サイドスライド支持板１３２が回転支持板１３３の周りを回動するときに固定部１４の中において所定の位置範囲内で摺動するように確保することができる。
【００３３】
なお、本願の実施例は、実際の応用シーンにおける必要に応じて、他のスライド溝形状を採用してもよく、固定部１４において設置されるスライド溝の個数を変更してもよく、各スライド溝の間の位置関係を変更してもよい。つまり、採用されたスライド溝の形状は、サイドスライド支持板１３２がスライド溝の中において所定の位置範囲内で摺動することができることを満足すればよく、本願の実施例においてはそれについて制限しない。
【００３４】
本願の一実施例において、図２に示すよう、回動軸１１には回動軸ロック部１５が配置されてもよい。回動軸１１の端部に回動軸ロック部１５を配置することによって、フレキシブル表示装置がある１つの状態を維持する必要がある場合、回動軸ロック部１５によって回動軸１１をロックして必要となる状態に維持させることができる。なお、本願の実施例において、維持する必要がある状態は折り畳み状態であってもよく、展開状態であってもよく、又は折り畳み状態から展開状態になる途中の任意の状態であってもよく、本願の実施例はその維持される状態について制限しない。
【００３５】
本願の一実施例において、図４に示すよう、スクリーン支持装置は、相対的に固定的に連結される２つの駆動コンポーネント１を備える。２つの駆動コンポーネント１はそれぞれ第１の駆動コンポーネント１０１と第２の駆動コンポーネント１０２である。その中、第１の駆動コンポーネント１０１はフレキシブル表示スクリーン３の第１の部分を支え、第２の駆動コンポーネント１０２はフレキシブル表示スクリーン３の第２の部分を支える。第１の駆動コンポーネント１０１は第１の回動軸１１１を備え、第２の駆動コンポーネント１０２は第２の回動軸１１２を備える。ここで、第１の駆動コンポーネント１０１と第２の駆動コンポーネント１０２とが相対的に固定的に連結されるよう、第１の回動軸１１１と第２の回動軸１１２とは図５に示すように相対的に固定的に連結される。なお、第１の回動軸１１１及び／又は第２の回動軸１１２の構造は上述の回動軸１１の構造と同様である。
【００３６】
図４に示すよう、スクリーン支持装置は２つの支持コンポーネント２を更に備える。２つの支持コンポーネント２はそれぞれ第１の支持コンポーネント２１と第２の支持コンポーネント２２である。その中、第１の支持コンポーネント２１と第２の支持コンポーネント２２はそれぞれ第１の駆動コンポーネント１０１と第２の駆動コンポーネント１０２の一方側に配置される。フレキシブル表示スクリーンが展開状態から折り畳み状態になる過程において、第１の支持コンポーネント２１は第１の駆動コンポーネント１０１に対して回動し且つ離れる。それとともに、第２の支持コンポーネント２２は第２の駆動コンポーネント１０２に対して回動し且つ離れる。ここで、第１の支持コンポーネント２１が第１の駆動コンポーネント１０１から離れる方向は、第２の支持コンポーネント２２が第２の駆動コンポーネント１０２から離れる方向とは反対である。つまり、２つの支持コンポーネントは互いに離れて行って、フレキシブル表示スクリーンのベンディング部分に対してより大きい収容空間を提供するようになる。したがって、フレキシブル表示装置が折り畳まれるときにフレキシブル表示スクリーンのベンディング部分において折り目が形成して表示スクリーンが異常になってしまう問題を解決することができる。
【００３７】
本願の一実施例においては、ウォームギヤ及びウォームを用いて第１の回動軸１１１と第２の回動軸１１２とを相対的に固定的に連結する。ウォームギヤ構造によって２つの回動軸を連動させることによって、２つの回動軸の同期回動を実現して、折り畳む又は展開する動作の効率を更に向上させることができる。
【００３８】
なお、本願の実施例においては、実際の応用シーンに応じて他の伝動構造（例えば、歯車歯竿構造）を採用して第１の回動軸１１１と第２の回動軸１１２との間の回動伝動を実現することも可能である。本願の実施例による２つの回動軸を連結する伝動構造はウォームギヤ構造を含むがそれに限られない。
【００３９】
なお、第１の駆動コンポーネント１０１及び第２の駆動コンポーネント１０２の内部構造について、第２の支持コンポーネント２２が回動しながら第２の駆動コンポーネント１０２から離れるようにする第２の駆動コンポーネント１０２と、第１の支持コンポーネント２１が回動しながら第１の駆動コンポーネント１０１から離れるようにする第１の駆動コンポーネント１０１と、を実現する方法は上述の通りであり、ここでは再び説明しない。
【００４０】
なお、スクリーン支持装置における支持コンポーネント２の個数、駆動コンポーネント１の個数、及び、隣接する２つの支持コンポーネント２の間にある駆動コンポーネント１の個数は、いずれも実際の応用シーンに応じて決められることができる。例えば、１つのスクリーン支持装置により支えられるフレキシブル表示スクリーンが２カ所において折り曲げられる必要がある場合、当該スクリーン支持装置は３つの支持コンポーネントと、４つ又は２つの駆動コンポーネントとを備えることができる。ここで、隣接する２つの支持コンポーネントは、１つの駆動コンポーネントと連結されてもよく、２つの駆動コンポーネントと連結されてもよい。フレキシブル表示スクリーンが折り曲げられるときに折り目が現れないように支持コンポーネントと駆動コンポーネントが互いに働き合うことができればよいため、本願はスクリーン支持装置における支持コンポーネント２の個数、駆動コンポーネント１の個数及び隣接する２つの支持コンポーネント２の間にある駆動コンポーネント１の個数について制限しない。
【００４１】
本願は折り畳み式フレキシブル表示装置を更に提供する。図６に示すよう、当該折り畳み式フレキシブル表示装置は、フレキシブル表示スクリーン３及びスクリーン支持装置を備える。フレキシブル表示スクリーン３は第１の部分、第２の部分及び第１の部分と第２の部分との間にあるベンディング部分を備える。スクリーン支持装置は第１の支持コンポーネント２１、第２の支持コンポーネント２２及び第１の支持コンポーネント２１と第２の支持コンポーネント２２との間にある駆動コンポーネント１を備える。ここで、第１の支持コンポーネント２１はフレキシブル表示スクリーンの第１の部分を支持して固定し、第２の支持コンポーネント２２はフレキシブル表示スクリーンの第２の部分を支持して固定する。駆動コンポーネント１はフレキシブル表示スクリーン３のベンディング部分を支持する。図２に示すよう、駆動コンポーネント１は回動軸１１、コネクティングロッド１２、折り畳み部１３、固定部１４及び回動部１７を備える。その中、コネクティングロッド１２は固定部１４及び回動軸１１のそれぞれと相対的に固定的に連結される。図３に示すよう、固定部１４の一方側にはスライド溝１４１が配置される。折り畳み部１３はサイドスライド支持板１３２、回転支持板１３３及びスクリーン固定支持板１３４を備える。ここで、サイドスライド支持板１３２と回転支持板１３３とは回動可能に連結され、回転支持板１３３とスクリーン固定支持板１３４とは回動可能に連結され、サイドスライド支持板１３２は固定部１４におけるスライド溝の中において摺動する。フレキシブル表示スクリーンが展開状態から折り畳み状態になるとき、回動軸１１は回動し、コネクティングロッド１２は回動軸１１に連動し、固定部１４はコネクティングロッド１２に連動する。それとともに、回動部１７も回動軸１１に連動し、したがって回動部１７は固定部１４に対して摺動する。つまり、回動部１７は回動しながら固定部１４に対して摺動する。回動部１７は第１の支持コンポーネント２１に対して相対的に固定的に連結されるため、第１の支持コンポーネント２１は、回動部１７に連動して、回動軸１１に対して回動するとともに回動軸１１から離れる。したがって、第１の支持コンポーネント２１は駆動コンポーネント１に対して回動しながら離れる。そこで、第１の支持コンポーネント２１は第２の支持コンポーネント２２に対して回動しながら離れる。こうすると、フレキシブル表示スクリーンのベンディング部分のためにより大きい収容空間を提供することができ、したがってフレキシブル表示装置が折り畳まれるときにフレキシブル表示スクリーンのベンディング部分において折り目が形成して表示スクリーンが異常になってしまう問題を解決することができる。
【００４２】
更なる一実施例において、図６に示す折り畳み式フレキシブル表示装置は、図４に示すよう、相対的に固定的に連結される２つの駆動コンポーネントである第１の駆動コンポーネント１０１及び第２の駆動コンポーネント１０２を備えた駆動コンポーネント１を備える。第１の支持コンポーネント２１と第１の駆動コンポーネント１０１とが連結され、第２の支持コンポーネント２２と第２の駆動コンポーネント１０２とが連結され、第１の駆動コンポーネント１０１と第２の駆動コンポーネント１０２とが連結される。ここで、第１の駆動コンポーネント１０１及び第２の駆動コンポーネント１０２はいずれも回動軸１１、コネクティングロッド１２、折り畳み部１３、固定部１４及び回動部１７を備える。図２に示すよう、コネクティングロッド１２は固定部１４及び回動軸１１のそれぞれと相対的に固定的に連結される。図３に示すよう、固定部１４の一方側にはスライド溝１４１が配置される。折り畳み部１３はサイドスライド支持板１３２、回転支持板１３３及びスクリーン固定支持板１３４を備える。その中、サイドスライド支持板１３２は回転支持板１３３と回動可能に連結され、回転支持板１３３はスクリーン固定支持板１３４と回動可能に連結され、サイドスライド支持板１３２は固定部１４のスライド溝の中において摺動する。フレキシブル表示スクリーンが展開状態から折り畳み状態になるとき、第１の支持コンポーネント２１と第２の支持コンポーネント２２は互いに反対の方向へ同時に折り曲げられる。すなわち第１の支持コンポーネント２１と第２の支持コンポーネント２２が対面になるように折り畳む。第１の支持コンポーネント２１と第２の支持コンポーネント２２は互いに反対となる方向へ折り曲げられるため、第１の駆動コンポーネント１０１は第１の支持コンポーネント２１が回動しながら第１の駆動コンポーネント１０１から離れるように駆動し、第２の駆動コンポーネント１０２は第２の支持コンポーネント２２が回動しながら第２の駆動コンポーネント１０２から離れるように駆動する。したがって、第１の支持コンポーネント２１と第２の支持コンポーネント２２は互いに離れて行って、フレキシブル表示スクリーンのベンディング部分のためにより大きい収容空間を提供することができる。したがってフレキシブル表示装置が折り畳まれるときにフレキシブル表示スクリーンのベンディング部分において折り目が形成して表示スクリーンが異常になってしまう問題を解決することができる。
【００４３】
なお、第１の駆動コンポーネント１０１が第１の支持コンポーネント２１が回動しながら第１の駆動コンポーネント１０１から離れるように駆動することと、第２の駆動コンポーネント１０２が第２の支持コンポーネント２２が回動しながら第２の駆動コンポーネント１０２から離れるように駆動することと、の実現方法は、上述の通りであるため、ここでは再び説明しない。
【００４４】
フレキシブル表示スクリーンが展開状態にあるとき、図７に示すよう、第１の支持コンポーネント２１、第２の支持コンポーネント２２及び２つの駆動コンポーネントは、フレキシブル表示スクリーンの下方に位置し、フレキシブル表示スクリーンの第１の部分、第２の部分及びベンディング部分を共同で支持して固定する。前記フレキシブル表示スクリーンが展開状態から折り畳み状態になるとき、第１の支持コンポーネント２１は第２の支持コンポーネント２２から離れて行く。フレキシブル表示装置が折り畳まれた後の構造は図８の通りである。
【００４５】
一実施例において、本願により提供される実施例におけるフレキシブル表示スクリーンは、回路基板を更に備えることができる。回路基板は支持コンポーネント２の内部に配置される。回路基板は、フレキシブル表示スクリーンにとって必要な駆動回路を提供する。なお、本願の実施例は実際の応用シーンにおける必要（例えば、支持コンポーネントの内部容量の大きさなど）に応じて回路基板を別の位置に配置してもよく、本願は回路基板の配置位置について制限しない。
【００４６】
更なる実施例において、回路基板はフレキシブル回路基板であってもよい。フレキシブル回路基板はフォルダブル性能を有するため、本実施例による回路基板は駆動コンポーネントのところに配置されることができる。
【００４７】
一実施例において、本願により提供される実施例に係るフレキシブル表示スクリーンは、バッテリーを更に備えることができる。バッテリーは支持コンポーネント２の内部に配置される。バッテリーは回路基板にとって必要な電気エネルギーを提供する。なお、本願の実施例は実際の応用シーンにおける必要（例えば、支持コンポーネント２の内部容量の大きさなど）に応じてバッテリーを別の位置に配置してもよく、本願はバッテリーの配置位置について制限しない。
【００４８】
更なる実施例において、バッテリーはフレキシブルバッテリーであってもよい。フレキシブルバッテリーはフォルダブル性能を有するため、本実施例によるバッテリーは駆動コンポーネントのところに配置されることができる。
【００４９】
特定の例を参照しながら本願について説明を行ったが、これらの特定の例は例示的なものに過ぎず、本願に対する制限にはならない。当業者にとって明らかであるが、本願の精神と保護範囲を逸脱しない前提で、開示された実施例は変更、追加又は削除されることが可能である。
【図１】
2021513681.tif 000003
【図２】
2021513681.tif 000004
【図３】
2021513681.tif 000005
【図４】
2021513681.tif 000006
【図５】
2021513681.tif 000007
【図６】
2021513681.tif 000008
【図７】
2021513681.tif 000009
【図８】
2021513681.tif 000010
【手続補正書】
【提出日】令和2年8月7日(2020.8.7)
【手続補正１】
【補正対象書類名】明細書
【補正対象項目名】０００５
【補正方法】変更
【補正の内容】
【０００５】
本願の一態様によると、本願の実施例により提供されるスクリーン支持装置は、フレキシブル表示スクリーンを支持するために用いられ、駆動コンポーネントと、前記駆動コンポーネントと回動可能に連結される支持コンポーネントと、を備える。前記駆動コンポーネントは、回動軸と、前記回動軸と相対的に回動可能に連結されるコネクティングロッドと、を備える。前記駆動コンポーネント及び前記支持コンポーネントは前記フレキシブル表示スクリーンの非表示エリアに配置され、前記コネクティングロッドと前記支持コンポーネントとは固定的に連結される。前記回動軸と前記コネクティングロッドとの回動可能な連結によって、前記支持コンポーネントと前記駆動コンポーネントとが回動し且つ相対的に変位して、前記フレキシブル表示スクリーンを折り畳むか又は展開する。
【手続補正２】
【補正対象書類名】明細書
【補正対象項目名】０００８
【補正方法】変更
【補正の内容】
【０００８】
一実施例において、前記固定部の一方側にはスライド溝が配置されており、前記スライド溝は、互いに平行である２つの線形スライド溝を含む。
【手続補正３】
【補正対象書類名】明細書
【補正対象項目名】０００９
【補正方法】変更
【補正の内容】
【０００９】
一実施例において、前記駆動コンポーネントは、前記回動軸に対して相対的に固定的に連結される折り畳み部、及び／または、前記回動軸と固定的に連結される回動軸ロック部を更に備える。前記折り畳み部は前記スライド溝の中に摺動可能に配置され、前記折り畳み部は前記スライド溝の中において摺動する。
【手続補正４】
【補正対象書類名】明細書
【補正対象項目名】００１７
【補正方法】変更
【補正の内容】
【００１７】
一実施例において、前記フレキシブル表示スクリーンは、前記支持コンポーネントの内部に配置される回路基板と、前記支持コンポーネントの内部に配置されて前記回路基板が必要とする電気エネルギーを提供するバッテリーと、を備える。前記回路基板は前記フレキシブル表示スクリーンが必要とする駆動回路を提供する。
【手続補正５】
【補正対象書類名】特許請求の範囲
【補正対象項目名】全文
【補正方法】変更
【補正の内容】
【特許請求の範囲】
【請求項１】
フレキシブル表示スクリーンを支持するために用いられ、
駆動コンポーネントと、前記駆動コンポーネントと回動可能に連結される支持コンポーネントと、を備え、
前記駆動コンポーネントは、回動軸と、前記回動軸と相対的に回動可能に連結されるコネクティングロッドと、を備え、
前記駆動コンポーネント及び前記支持コンポーネントは前記フレキシブル表示スクリーンの非表示エリアに配置され、前記コネクティングロッドと前記支持コンポーネントとは固定的に連結され、
前記回動軸と前記コネクティングロッドとの回動可能な連結によって、前記支持コンポーネントと前記駆動コンポーネントとが回動し且つ相対的に変位して、前記フレキシブル表示スクリーンを折り畳むか又は展開する
ことを特徴とするスクリーン支持装置。
【請求項２】
前記駆動コンポーネントは、固定部及び回動部を更に備え、
前記固定部は、前記コネクティングロッドと相対的に固定的に連結され、
前記回動部は、前記回動軸と相対的に回動可能に連結され、
前記支持コンポーネントと前記駆動コンポーネントとが回動して相対的に変位して前記フレキシブル表示スクリーンを折り畳むか又は展開することは、前記コネクティングロッドが回動軸に連動して固定部を動かし、前記支持コンポーネントが前記固定部の動きに連動して前記駆動コンポーネントに対して回動し且つ相対的に変位すること、を含む
ことを特徴とする請求項１に記載のスクリーン支持装置。
【請求項３】
前記支持コンポーネントにはスライドレールが配置され、
前記回動部は前記スライドレールの中に配置され且つ前記スライドレールに沿って摺動する
ことを特徴とする請求項２に記載のスクリーン支持装置。
【請求項４】
前記固定部の一方側にはスライド溝が配置されており、
前記スライド溝は、互いに平行である２つの線形スライド溝を含む
ことを特徴とする請求項２または３に記載のスクリーン支持装置。
【請求項５】
前記駆動コンポーネントは、前記回動軸に対して相対的に固定的に連結される折り畳み部、及び／または、前記回動軸と固定的に連結される回動軸ロック部を更に備え、
前記折り畳み部は前記スライド溝の中に摺動可能に配置され、前記折り畳み部は前記スライド溝の中において摺動する
ことを特徴とする請求項４に記載のスクリーン支持装置。
【請求項６】
前記折り畳み部は、サイドスライド支持板と、回転支持板と、スクリーン固定支持板と、を備え、
前記回転支持板の一端は前記サイドスライド支持板と相対的に回動可能に連結され、
前記回転支持板の他端は前記スクリーン固定支持板と回動可能に連結され、
前記サイドスライド支持板は、摺動可能に前記固定部の中に配置され、前記サイドスライド支持板は前記スライド溝の中において摺動する
ことを特徴とする請求項５に記載のスクリーン支持装置。
【請求項７】
前記回動軸は互いに平行に配置される第１の回動軸と第２の回動軸とを備え、
前記駆動コンポーネントは、前記第１の回動軸と回動可能に連結される第１のコネクティングロッドと、前記第２の回動軸と回動可能に連結される第２のコネクティングロッドと、を備え、
前記第１の回動軸と前記第２の回動軸との間にはウォームギヤ構造が配置され、前記第１の回動軸及び前記第２の回動軸はそれぞれ前記ウォームギヤ構造に連結される
ことを特徴とする請求項１乃至６のいずれか一項に記載のスクリーン支持装置。
【請求項８】
表示機能を実現するフレキシブル表示スクリーンと、
請求項１乃至７のいずれか一項に記載のスクリーン支持装置の構造を有するスクリーン支持装置と、を備える
ことを特徴とする折り畳み式フレキシブル表示装置。
【請求項９】
前記フレキシブル表示スクリーンは、前記支持コンポーネントの内部に配置されて前記フレキシブル表示スクリーンが必要とする駆動回路を提供する回路基板と、
前記支持コンポーネントの内部に配置されて前記回路基板が必要とする電気エネルギーを提供するバッテリーと、を備える
ことを特徴とする請求項８に記載の折り畳み式フレキシブル表示装置。
【国際調査報告】
2021513681.tif 000011
2021513681.tif 000012
2021513681.tif 000013
2021513681.tif 000014